(57)【要約】【課題】遊技機用基板ケースの封止作業に用いられる適当な工具を持ち合わせていなくても、メンテナンスや検査等で開封された後の封止作業を効率良く行うことが出来る、新規な構造の遊技機用基板ケースを提供することを、目的とする。【解決手段】ロックピン６０，６４が切断予定部４４によって第二ケース構成部材１４に連結された第二筒部３８に嵌められる。また、第一ケース構成部材１２と第二ケース構成部材１４がロックピン６０，６４で封止された状態で、ロックピン６０，６４に設けられた弾性係合片６６が第二筒部３８に設けられた係合壁７０に対してロックピン６０，６４の圧入方向とは反対側に当接係合される。更に、ロックピン６０，６４に対して、他のロック構造２８，３８で使用したロックピン６０，６４が係合可能な係合部８０を設けた。【選択図】図１９
2008029395.tif 000002
【特許請求の範囲】
【請求項１】
第一ケース構成部材と第二ケース構成部材とが組み付けられ、該第一ケース構成部材と該第二ケース構成部材とで囲まれて形成された収容空間に制御基板を収容するものであって、ロックピンを用いて該第一ケース構成部材と該第二ケース構成部材との組付解除方向への相対移動を阻止する構成の遊技機用基板ケースにおいて、
前記第一ケース構成部材には第一筒部が設けられ、
前記第二ケース構成部材には切断予定部を介して第二筒部が設けられ、
前記第一筒部と前記第二筒部とは、前記第一ケース構成部材と前記第二ケース構成部材との組付状態下において内空間が連接した状態となるように位置せしめられ、
前記第一筒部の内空間は前記第二筒部側にピン遊挿部を有し、
前記第二筒部の内空間はピン圧入部を有し、
前記第一ケース構成部材と前記第二ケース構成部材との組付状態下において、前記ロックピンを前記第二筒部内に前記第一筒部とは反対側の開口から挿入すると共に、該ロックピンを前記ピン圧入部へと圧入し、更には該ロックピンを該ロックピンの先行端部が前記第一筒部の前記ピン遊挿部に至るまで押し進めて該ロックピンを該第一筒部に対して遊挿状態とすることで、該第一筒部の内空間と該第二筒部の内空間との間に跨って配置される該ロックピンが該第一ケース構成部材と該第二ケース構成部材との組付解除方向への相対移動を阻止するものであり、
前記ロックピン及び前記第二筒部のうちの一方には弾性係合片が設けられていると共に、該ロックピン及び該第二筒部のうちの他方には前記第一筒部側へと向かう係合壁が設けられ、
前記弾性係合片と前記係合壁からなる逆止構造は、前記ロックピンの前記圧入方向への移動を該弾性係合片の弾性変形によって許容すると共に、該ロックピンに前記圧入方向と反対方向への外力が作用しても、該弾性変形から復帰した該弾性係合片が該係合壁に当接係合することで、該ロックピンが前記第一筒部の内空間と前記第二筒部の内空間との間に跨って配置されるロック状態を維持するものであり、
前記第一筒部と前記第二筒部とを有するロック構造は複数組が備えられ、
前記ロックピンにおいて前記先行端部と反対側の端部には、他のロック構造に用いられるロックピンの先行端部と係合可能な係合部が形成されていることを特徴とする遊技機用基板ケース。
【発明の詳細な説明】
【技術分野】
【０００１】
本発明は、第一ケース構成部材に対して第二ケース構成部材を組み付けることにより、制御基板を収容する収容空間が形成される遊技機用基板ケースに関するものである。
【背景技術】
【０００２】
従来から、第一ケース構成部材としてのケース本体に対して第二ケース構成部材としての蓋部材を組み付けることにより、制御基板を収容する収容空間が形成される遊技機用基板ケースが知られている（例えば、特許文献１等参照）。
【０００３】
また、この種の遊技機用基板ケースには、その内部に収容される制御基板への不正行為を防止する観点から、様々な対策が施されている。その一つとして、本出願人は、先に、特願２００６−９９２０３号において、ケース本体と蓋部材のそれぞれに設けられた筒部に跨るように挿入されたスプリングピンをこれらの筒部の少なくとも一方に嵌めることにより、筒部に嵌められたスプリングピンが筒部に対して及ぼす力、即ち、スプリングピンの軸直角方向のばね作用に基づく力を利用して、スプリングピンの筒部からの抜けを防止することにより、ケース本体と蓋部材との安定した封止状態を実現することが出来る遊技機用基板ケースを提案した。
【０００４】
ところで、遊技機用基板ケースは、メンテナンスや検査等の際、開封される場合があることから、ケース本体と蓋部材のそれぞれに設けられた筒部は、複数あるのが一般的となっている。そうすると、遊技機用基板ケースを開封した後で再び封止するためには、スプリングピンを、ケース本体と蓋部材のそれぞれに設けられた筒部に挿入して、これらの筒部の少なくとも一方に嵌める必要がある。
【０００５】
しかしながら、メンテナンスや検査等に伴う遊技機用基板ケースの開封は、殆どの場合、遊技機が設置された遊技ホール等で行われることから、作業者が遊技機用基板ケースの封止作業に用いるための適当な工具を持ち合わせていない可能性がある。その結果、一度開封された遊技機用基板ケースを再び封止する作業を効率良く行うことが難しくなるおそれがある。
【０００６】
【特許文献１】特開２００５−３４２１９３号公報
【発明の開示】
【発明が解決しようとする課題】
【０００７】
ここにおいて、本発明は、上述の如き事情を背景として為されたものであって、その解決課題とするところは、遊技機用基板ケースの封止作業に用いられる適当な工具を持ち合わせていなくても、メンテナンスや検査等で開封された後の封止作業を効率良く行うことが出来る、新規な構造の遊技機用基板ケースを提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
本発明は、第一ケース構成部材と第二ケース構成部材とが組み付けられ、第一ケース構成部材と第二ケース構成部材とで囲まれて形成された収容空間に制御基板を収容するものであって、ロックピンを用いて第一ケース構成部材と第二ケース構成部材との組付解除方向への相対移動を阻止する構成の遊技機用基板ケースにおいて、第一ケース構成部材には第一筒部が設けられていると共に、第二ケース構成部材には切断予定部を介して第二筒部が設けられており、これら第一筒部と第二筒部は、第一ケース構成部材と第二ケース構成部材の組付状態下において内空間が連接した状態となるように位置せしめられることを、特徴とする。また、本発明の遊技機用基板ケースは、第一筒部の内空間は第二筒部側にピン遊挿部を有している一方、第二筒部の内空間はピン圧入部を有しており、第一ケース構成部材と第二ケース構成部材の組付状態下において、ロックピンを第二筒部内に第一筒部とは反対側の開口から挿入すると共に、ロックピンをピン圧入部へと圧入し、更には、ロックピンをその先行端部が第一筒部のピン遊挿部に至るまで押し進めて、ロックピンを第一筒部に対して遊挿状態とすることで、第一筒部の内空間と第二筒部の内空間との間に跨って配置されるロックピンが第一ケース構成部材と第二ケース構成部材との組付解除方向への相対移動を阻止するものであることを、特徴とする。更に、本発明の遊技機用基板ケースにおいては、ロックピン及び第二筒部のうちの一方には弾性係合片が設けられていると共に、ロックピン及び第二筒部のうちの他方には第一筒部側へと向かう係合壁が設けられており、弾性係合片と係合壁からなる逆止構造は、ロックピンの圧入方向への移動を弾性係合片の弾性変形によって許容すると共に、ロックピンに圧入方向と反対方向への外力が作用しても、弾性変形から復帰した弾性係合片が係合壁に当接係合することで、ロックピンが第一筒部の内空間と第二筒部の内空間との間に跨って配置されるロック状態を維持するものであることを、特徴とする。更にまた、本発明の遊技機用基板ケースにおいては、第一筒部と第二筒部とを有するロック構造は複数組が備えられており、ロックピンにおいて先行端部と反対側の端部には、他のロック構造に用いられるロックピンの先行端部と係合可能な係合部が形成されていることを、特徴とする。
【００１０】
このような本発明に従う構造とされた遊技機用基板ケースにおいては、制御基板を収容した遊技機用基板ケースを封止する場合、第一ケース構成部材と第二ケース構成部材との組付状態下において、ロックピンを第二筒部内に第一筒部とは反対側の開口から挿入すると共に、ロックピンをピン圧入部へと圧入し、更に、ロックピンをその先行端部が第一筒部のピン遊挿部に至るまで押し進めることにより、ロックピンを第一筒部に対して遊挿状態とする。これにより、ロックピンが第一筒部の内空間と第二筒部の内空間との間に跨って配置されたロック状態となる。その結果、第一ケース構成部材と第二ケース構成部材との組付解除方向への相対移動がロックピンにより阻止されて、遊技機用基板ケースが封止状態となる。
【００１１】
そこにおいて、本発明では、ロックピン及び第二筒部のうちの一方に設けられた弾性係合片と、他方に設けられた係合壁とからなる逆止構造を備えており、弾性係合片が係合壁を第一筒部側へ越えるまでは、弾性係合片の弾性変形によって、ロックピンの圧入を許容する。一方、かかる逆止構造は、係合壁を第一筒部側へ越えた弾性係合片が弾性変形から復帰して係合壁と対峙することで、ロック状態にあるロックピンに対して圧入方向と反対方向への外力が作用した場合（具体的には、例えば、遊技機用基板ケースを不正に開封しようとした場合）において、弾性係合片が係合壁に当接係合してロックピンの移動を阻止し、ロックピンによるロック状態を維持することが出来るようになっている。
【００１２】
また、本発明では、封止状態にある遊技機用基板ケースを開封する場合、切断予定部をニッパー等の適当な工具等で切断して、第二ケース構成部材から第二筒部を分離する。そこにおいて、ロックピンは、第一筒部に遊挿されていることから、切断予定部を切断するだけで、ロックピンを第一筒部から容易に抜き取ることが出来るようになっている。また、ロックピンは、第二筒部に圧入されていることから、ロックピンが圧入固定された第二筒部が第一ケース構成部材及び第二ケース構成部材から分離されることとなる。従って、ロックピンが圧入固定された第二筒部を取り除くことにより、ロックピンによるロック状態が解除されて、第一ケース構成部材と第二ケース構成部材との組付解除方向への相対移動が許容されることとなる。
【００１３】
更にまた、本発明では、遊技機用基板ケースを再度封止する場合、これまで使用していたロック構造とは異なるロック構造、すなわち、複数組あるロック構造のうち、未使用状態である新たなロック構造を使用して、上述の如きロックピンの圧入工程を繰り返すことになる。その際、作業者は、新たなロック構造の圧入に用いる適当な工具を準備していない場合、上述の開封作業によって分離されて、ロックピンと一体的に取り扱い可能となっている第二筒部を工具の代わりに使用することが出来る。
【００１４】
すなわち、例えば、ロックピンと一体的に取り扱い可能とされた第二筒部を把持部として利用すると共に、このロックピンの先行端部を、新たなロック構造に用いられる新たなロックピンの他方の端部（先行端部とは反対側の端部）に対して押し付けて、新たなロックピンをピン圧入部に圧入するのである。その際に、ロックピンの先行端部を新たなロック構造に用いられるロックピンの係合部に係合させることで、両者の当接位置がずれることを防止できる。これにより、作業者は第二ケース構成部材から分離した第二筒部及びそれに圧入固定されたロックピンを介して新たなロック構造に用いられるロックピンに安定した力を作用させることができる。その結果、使用済みのロックピンが一体的に取り扱い可能とされた第二筒部を用いたロックピンの圧入作業を安定して行うことが可能となる。
【００１５】
また、この圧入作業に際して、上述の如き逆止構造によって、ロックピンが反力で第二筒部内へ押し込まれてしまう不具合を有利に回避することが可能となる。
【００１６】
なお、本発明において、第一のケース構成部材や第二のケース構成部材の形成材料としては、例えば、ポリカーボネート（ＰＣ）等の透明な合成樹脂材料が望ましい。これにより、遊技機用基板ケースに収容された制御基板を外部から視認することが容易に可能となる。
【００１７】
また、本発明において、「内空間が連接した状態」とは、ロックピンが第一筒部と第二筒部に跨って挿入され得る状態であることをいう。そこにおいて、本発明では、第一ケース構成部材と第二ケース構成部材が組み付けられた状態で、第一筒部と第二筒部は重なっていても良いし、適当な間隔をあけて離隔位置せしめられていても良いし、第一筒部内に第二筒部の一部分が収容された状態であっても良い。
【００１８】
さらに、本発明において、ピン遊挿部は、第一筒部の内空間の全体に亘って形成されていても良い。更にまた、本発明において、ピン圧入部は、第二筒部の内空間の全体に亘って形成されていても良い。
【００１９】
また、本発明において、第一筒部や第二筒部の軸直角方向での断面形状は、特に限定されることはなく、例えば、円形や楕円形，多角形，更には、それらの歪んだ形状等、各種の断面形状が採用され得るが、第二筒部の軸直角方向での断面形状は、ロックピンの軸直角方向での断面の外形と対応していることが望ましい。これにより、ロックピンの外周面と第二筒部の内周面との接触面積を有利に確保することが可能となる。その結果、ロックピンの外周面と第二筒部の内周面との間に発生する摩擦力を有利に確保することが可能となり、ロックピンの軸方向の変位を有利に阻止することが可能となる。
【００２０】
更にまた、本発明において、第一筒部や第二筒部の軸直角方向での断面の大きさや形状等は、筒部の軸方向において一定である必要はなく、例えば、軸方向の一端側と他端側で断面の大きさや形状等が異なっていても良い。
【００２１】
また、本発明の第二筒部においてロックピンが挿入される側の開口端面は、次回の遊技機用基板ケースの封止に用いられるロックピンに対して十分な押圧操作力を加えることが出来る程度の大きさであることが望ましい。具体的には、例えば、第二筒部の周壁においてロックピンが挿入される側の開口端での厚さ寸法が略１ｍｍ程度以上とされていることが望ましい。蓋し、かかる厚さ寸法が上記寸法よりも小さいと十分な押圧操作力を加えることが難しくなるからである。また、例えば、第二筒部においてロックピンが挿入される側の開口端面の外形が多角形である場合には、かかる開口端面の外接円の直径は略１０ｍｍ程度以上とされていることが望ましい。蓋し、かかる外接円の直径が上記寸法より小さいと十分な押圧操作力を加えることが難しくなるからである。更にまた、例えば、第二筒部においてロックピンが挿入される側の開口端面の外形が円形である場合には、その直径は略１０ｍｍ程度以上とされていることが望ましい。蓋し、かかる開口端面の外形が上記寸法より小さいと十分な押圧操作力を加えることが難しくなるからである。なお、第二筒部に金属製の補強部材を埋め込む等しておくことも可能であり、それによって、第二筒部に対してより大きな押圧操作力を加えることが可能となる。
【００２２】
また、本発明におけるロックピンは、一つの部材で構成されていても良いし、複数の部材で構成されていても良いが、第二筒部の成形時の寸法誤差や遊技機用基板ケースの周辺温度の変化に基づく第二筒部の軸直角方向での断面の変形に対して有利に対処出来るという観点から、複数の部材で構成されている場合には、スプリングピンを備えていることが望ましい。
【００２３】
そこにおいて、ロックピンとしてスプリングピンを備えているものを採用する場合、スプリングピンは、軸直角方向へのばね作用を生ぜしめる形状であれば、特に限定されることはなく、例えば、スプリングピンの周方向の一部において軸方向の全長に亘って切り込みが形成された形状や、周壁が周方向で連続する筒形状とされており、その軸直角方向での断面形状が各頂部に丸みを有する多角形とされている形状，更には、周壁の軸直角方向での断面形状が渦巻き状とされており、周壁の少なくとも一部が軸直角方向で重なっている形状等が採用される。また、スプリングピンの周方向の一部において軸方向の全長に亘って切り込みが形成されている場合には、その切り込みは、スプリングピンの軸方向に沿ってストレートに延びている必要はなく、例えば、軸方向に対して傾斜する方向に延びていても良いし、蛇行するように延びていても良い。
【００２４】
さらに、本発明において、ロックピンとしてスプリングピンを備えているものを採用する場合、スプリングピンの軸直角方向での断面の外形は、スプリングピンの軸直角方向へのばね作用を生ぜしめる形状であれば、特に限定されることはなく、例えば、略円形や略楕円形，略多角形、更には、それらの歪んだもの等が採用される。
【００２５】
更にまた、本発明において、ロックピンとしてスプリングピンを備えているものを採用する場合、スプリングピンの周壁の厚さ寸法は、周方向で一定であっても良いし、異なっていても良い。そこにおいて、周方向の一部において軸方向の全長に亘って切り込みが形成されているスプリングピンの場合、その周壁の厚さ寸法は、切り込みに対して軸直角方向で対向位置する部分が最も大きくされている一方、その部分から切り込みへと周方向に沿って行くに従って次第に厚さ寸法が小さくされていることが望ましい。これにより、スプリングピンが第二筒部に嵌められた状態で第二筒部に発生する応力が周方向に均等とされる。その結果、スプリングピンが第二筒部へ嵌められた状態で、スプリングピンの外周面を第二筒部の内周面に対して全周に亘って密着させることが可能となり、スプリングピンの抜け方向への変位を一層有利に阻止することが可能となる。
【００２６】
更にまた、本発明において、ロックピンとしてスプリングピンを備えているものを採用する場合、スプリングピンが、周方向の一部において軸方向の全長に亘って切り込みが形成されている形状や、周壁の軸直角方向での断面形状が渦巻き状とされており、周壁の少なくとも一部が軸直角方向で重なっている形状等であれば、管に対して軸方向の全長に亘って切り込みを形成する方法や、板材を丸める方法等によって、目的とするスプリングピンが有利に形成される。また、本発明において、ロックピンとしてスプリングピンを備えているものを採用する場合、スプリングピンが、周壁が周方向で連続とされており、その軸直角方向での断面形状が各頂部に丸みを有する多角形とされている形状であれば、引き抜き若しくは押出し成形をすることによって、目的とするスプリングピンが有利に形成される。
【００２７】
また、本発明において、ロックピンとしてスプリングピンを備えているものを採用する場合、スプリングピンの形成材料は、軸直角方向へのばね作用を有利に得ることが出来る材料であれば、特に限定されることなく、例えば、鉄鋼やばね鋼，ばね用ステンレス鋼等が採用可能である。
【００２８】
さらに、本発明において、第二筒部と一体的に取り扱い可能とされた状態下におけるロックピンの第二筒部からの突出長さは、次回の遊技機用基板ケースの封止に用いられるロックピンの押し込みを有利に実現出来る長さであれば良く、例えば、第二筒部が段付円筒形状とされており、その小径部分からロックピンが突出している場合には、次回の遊技機用基板ケースの封止に用いられるロックピンが第一筒部と第二筒部との間に跨って挿入されて、制御基板が収容空間から取り出し可能な状態まで、第二ケース構成部材が第一ケース構成部材に対してスライド変位せしめられることがロックピンによって阻止されている状態で、次回に使用されるロックピンの押し込み用の道具として用いられた第二筒部の小径部分が、次回に使用されるロックピンが嵌められた第二筒部の大径部分に入り込んでいても良い。
【００２９】
更にまた、本発明において、係合部とは、ロックピンが係合可能な形状であれば、特に限定されることはなく、例えば、ロックピンを嵌め入れることが可能な凹部であっても良いし、ロックピンに孔が形成されている場合には、かかる孔に嵌め入れることが可能な凸部であっても良い。
【００３０】
また、本発明において、係合部や弾性係合片，係合壁は、単一の部材で構成されたロックピンに対して直接に設けられていても良いし、或いは、複数の部材で構成されたロックピンにおいて、これら複数の部材の何れかに設けられていても良い。
【００３１】
さらに、本発明において、弾性係合片は、ロックピンや第二筒部の全周に亘って突出している必要はない。更にまた、本発明において、弾性係合片は、ロックピンを第二筒部に圧入する際には撓るように曲がる程度の特性を有している一方、係合壁に当接係合した状態ではロックピンの圧入方向とは反対方向への移動を阻止することが可能な特性を有していれば良い。
【００３２】
また、本発明において、弾性係合片の係合壁への当接係合は、係合壁の端面に対して弾性係合片が当接係合する態様のみならず、係合壁に形成された開口穴の内周面に対して弾性係合片が当接係合する態様も含むものとする。
【発明を実施するための最良の形態】
【００３３】
以下、本発明を更に具体的に明らかにするために、本発明の実施形態について、図面を参照しつつ、詳細に説明する。
【００３４】
先ず、図１には、本発明の第一の実施形態としての遊技機用基板ケース１０が示されている。この遊技機用基板ケース１０は、第一ケース構成部材としてのケース本体１２に対して第二ケース構成部材としての蓋部材１４が組み付けられた構造とされており、その内部に制御基板１６を収容した状態で、遊技機の裏側の適当な位置に取り付けられるようになっている。
【００３５】
より詳細には、ケース本体１２は、ポリカーボネート（ＰＣ）等の透明な硬質の合成樹脂材料によって形成されており、図２乃至４に示されているように、全体として、底板１８の外周縁部に沿って全周に亘って延びる周壁２０が立設されて、上側に開口する開口部２２が形成された構造とされている。
【００３６】
そこにおいて、本実施形態では、ケース本体１２の長手方向（図２における左右方向）で対向位置せしめられた一対の長手方向対向壁部２４，２４のそれぞれに対して、上方に開口して長手方向対向壁部２４の長手方向（ケース本体１２の幅方向、即ち、図２における上下方向）に延びるガイド溝２６が形成されている。
【００３７】
また、ケース本体１２の幅方向一方（図２における下方）の側壁部には、複数（本実施形態では、八つ）の第一筒部としての本体側筒部２８が一体形成されている。特に、本実施形態では、これら八つの本体側筒部２８は、ケース本体１２の長手方向中央を挟んで、長手方向一方の側と他方の側に、四つずつまとめて設けられている。
【００３８】
また、本実施形態では、各本体側筒部２８は有底円筒形状とされており、その周壁部分が、ケース本体１２の幅方向一方の側壁部に対して、取付片３０によって取り付けられている。これにより、各本体側筒部２８がケース本体１２の外周縁部としての周壁２０に対して一体形成されているのである。
【００３９】
そこにおいて、本実施形態では、各本体側筒部２８の開口方向（本体側筒部２８の中心軸線が延びる方向）は、ケース本体１２の開口部２２の開口方向（底板１８に対して略直交する方向）に対して略平行とされている。
【００４０】
また、本実施形態では，各本体側筒部２８の上方において、Ｕ字断面で本体側筒部２８の開口方向（軸方向）に延びる下段収容部３２が一体形成されている。そして、下段収容部３２の底壁に形成された連通孔によって、下段収容部３２と本体側筒部２８が連通せしめられている。
【００４１】
更にまた、本実施形態では、各下段収容部３２の上方において、コ字状断面で本体側筒部２８の開口方向（軸方向）に延びる上段収容部３４が一体形成されている。そして、上段収容部３４の底壁に形成された切欠によって、上段収容部３４と下段収容部３２が連通せしめられている。なお、本実施形態では、隣り合う二つの上段収容部３４は、隣り合う方向に位置する側壁部（ケース本体１２の幅方向に延びる側壁部）を共有している。
【００４２】
このような構造とされたケース本体１２に組み付けられる蓋部材１４は、ケース本体１２と同様に、ポリカーボネート（ＰＣ）等の透明な硬質の合成樹脂材料によって形成されており、図５乃至７に示されているように、全体として、天板３６の外周縁部に沿って延びる周壁３７が立設されて、下側に開口する開口部が形成された構造とされている。なお、本実施形態の天板３６は、その幅方向（図５中の上下方向）中間部分において傾斜部分が設けられており、それによって、幅方向の両端において天板３６から開口端までの距離が異ならされている。
【００４３】
また、蓋部材１４の幅方向一方の側壁部には、複数（本実施形態では、八つ）の第二筒部としての蓋側筒部３８が一体形成されている。特に、本実施形態では、これら八つの蓋側筒部３８は、蓋部材１４の長手方向中央を挟んで、長手方向一方の側と他方の側に、四つずつまとめて設けられている。
【００４４】
そこにおいて、本実施形態では、各蓋側筒部３８は、矩形断面で開口する枠体乃至は筒体形状とされた上側収容部４０の底壁に対して略一定の断面でストレートに延びる円筒形状とされた下側収容部４２が同一中心軸線上で軸方向下方に突設された構造とされており、これら上側収容部４０と下側収容部４２は、上側収容部４０の底壁に形成された連通孔を通じて、相互に連通せしめられている。
【００４５】
特に、本実施形態では、各蓋側筒部３８の開口方向、即ち、上側収容部４０と下側収容部４２の開口方向（下側収容部４２の中心軸線が延びる方向）が、蓋部材１４の開口方向（天板３６に略直交する方向）に対して略平行とされている。
【００４６】
このような構造とされた蓋側筒部３８は、上側収容部４０が切断予定部としての一対の取付片４４，４４によって蓋部材１４における幅方向一方の側壁部に取り付けられている。これにより、各蓋側筒部３８が蓋部材１４の外周縁部としての周壁３７に対して一体形成されているのである。
【００４７】
続いて、上述の如き構造とされた蓋部材１４を、ケース本体１２に対して組み付ける方法について、説明する。先ず、蓋部材１４の長手方向（図５における左右方向）で対向位置せしめられる一対の長手方向対向壁部４６，４６を、ケース本体１２の長手方向両端に形成された一対のガイド溝２６，２６に嵌め入れる。その際、図８に示されているように、ケース本体１２における各ガイド溝２６内に設けられた係止片４８，４８は、蓋部材１４における各長手方向対向壁部４６に形成された係止用切欠５０，５０内に収容位置せしめられるようになっている。なお、本実施形態の係止片４８，４８は、それぞれ、各ガイド溝２６の側壁部分に対して一体的に設けられている。
【００４８】
そこにおいて、本実施形態では、上述の如く、蓋部材１４における一対の長手方向対向壁部４６，４６がケース本体１２における一対のガイド溝２６，２６に嵌め入れられた状態で、ケース本体１２の底板１８と蓋部材１４における天板３６は、天板３６における傾斜部分を除いて略平行とされている。
【００４９】
また、図面上では明示されていないが、本実施形態では、上述の如く、ケース本体１２に設けられたガイド溝２６，２６に対して蓋部材１４における長手方向対向壁部４６，４６を嵌め入れる前において、制御基板１６は、そこに実装されているコネクタ５２が蓋部材１４に形成された窓５４から外部に突出した状態で、蓋部材１４に対してネジ止めされるようになっている。なお、制御基板１６は、所定の検査機関による検査の対象となる制御基板（具体的には、例えば、遊技機の作動を全体的に制御する主制御基板や、かかる主制御基板からの制御信号に基づいて賞媒体の払い出しを制御する払出制御基板）等である。
【００５０】
このような状態から係止片４８，４８が係止用切欠５０，５０に係止される方向（ケース本体１２の開口部２２を蓋部材１４で覆蓋する方向、即ち、蓋を閉める方向））へと蓋部材１４をケース本体１２に対してスライド変位（本実施形態では、底板１８に対して天板３６を平行移動させるようなスライド変位）せしめることにより、図９に示されているように、係止片４８，４８が係止用切欠５０，５０に係止されるようになっている。これにより、ケース本体１２に対して蓋部材１４が組み付けられた状態となって、図１に示されているように、ケース本体１２の開口部２２が蓋部材１４で覆蓋されることとなる。その結果、蓋部材１４にネジ止めされた制御基板１６が開口部２２を通じてケース本体１２に入れられることとなる。このことから明らかなように、本実施形態では、ケース本体１２と蓋部材１４によって囲まれることで、制御基板１６が収容される収容空間４９が形成されるようになっている。
【００５１】
なお、本実施形態では、上述の如く、ケース本体１２の開口部２２が蓋部材１４で覆蓋された状態で、図１に示されているように、ケース本体１２の幅方向他方の側壁部に形成された突起５６が、蓋部材１４における幅方向他方の側壁部に形成された挿通孔５８に嵌め入れられるようになっている。
【００５２】
また、上述の如く、蓋部材１４をケース本体１２に対してスライド変位せしめることにより、図１０に示されているように、蓋側筒部３８における下側収容部４２が本体側筒部２８の上方に設けられた下段収容部３２内に位置せしめられると共に、蓋側筒部３８における上側収容部４０が下段収容部３２の上方に形成された上段収容部３４内に位置せしめられるようになっている。これにより、蓋側筒部３８と本体側筒部２８が、ケース本体１２に対して蓋部材１４が組み付けられた状態で、同一中心軸線上に位置せしめられるようになっている。即ち、蓋部材１４において本体側筒部２８に対応する位置に蓋側筒部３８が設けられているのである。そして、上述の如く、蓋側筒部３８と本体側筒部２８が同一中心軸線上に位置せしめられることにより、蓋側筒部３８の内部空間３９と本体側筒部２８の内部空間２７が後述するスプリングピン６０の挿入を許容する位置にあることとなる。このことから明らかなように、本実施形態では、ケース本体１２に対して蓋部材１４が組み付けられた状態で、蓋側筒部３８と本体側筒部２８が同一中心軸線上に位置せしめられることにより、蓋側筒部３８の内空間としての内部空間３９と本体側筒部２８の内空間としての内部空間２７が連接した状態とされているのである。なお、本実施形態では、上述の如く、蓋側筒部３８と本体側筒部２８が同一中心軸線上に位置せしめられた状態で、蓋側筒部３８における下側収容部４２の下端面と本体側筒部２８に一体形成された下段収容部３２の上面との間には、隙間が形成されている。
【００５３】
また、本実施形態では、底板１８に対して天板３６が平行移動するようにして、蓋部材１４がケース本体１２に対してスライド変位せしめられることにより、蓋部材１４がケース本体１２に対して脱着されるようになっていることから、蓋部材１４がケース本体１２に対して組み付けられた状態で、蓋側筒部３８と本体側筒部２８の並ぶ方向（これら蓋側筒部３８と本体側筒部２８に共通の中心軸線が延びる方向）が、蓋部材１４のケース本体１２に対するスライド方向に略直交している。
【００５４】
そして、上述の如く、同一中心軸上に位置せしめられた本体側筒部２８と蓋側筒部３８に対して、スプリングピン６０が嵌め入れられるようになっている。そこにおいて、本実施形態のスプリングピン６０は、鉄鋼やばね鋼，ばね用ステンレス鋼等で形成されており、図１１及び図１２に示されているように、周方向の一部において軸方向に蛇行しながら延びる切り込み６２が形成された筒形状とされている。なお、このようなスプリングピン６０は、例えば、長手方向両端が鋸歯状に形成された板材を適当な機械や工具を用いて丸めること等によって、有利に形成される。また、本実施形態のスプリングピン６０は、その軸方向両端の外側角部に対して、全周に亘って角取りが施されており、それによって、軸方向両端の何れの側からであっても、スプリングピン６０の本体側筒部２８と蓋側筒部３８への挿し込みが有利に行われるようになっている。
【００５５】
また、本実施形態では、このようなスプリングピン６０に対して組付ピン６４が取り付けられている。この組付ピン６４は、ＡＢＳ等の合成樹脂材によって形成されており、図１３乃至図１６に示されているように、全体として矩形平板形状とされた板状片６６の中央部分から厚さ方向一方の側に突出する挿入突起としての挿入軸６８が一体形成された構造とされている。
【００５６】
そこにおいて、本実施形態では、板状片６６において挿入軸６８が突設されたほうとは反対側の面に開口すると共に、内周面７６がスプリングピン６０の外周面７８に対応している凹部としての凹所８０が形成されている。即ち、本実施形態の凹所８０の内周面７６は筒状内周面とされており、特に本実施形態では、スプリングピン６０が凹所８０に嵌め入れられた際において、スプリングピン６０を凹所８０の開口方向に案内することが出来る程度の深さ寸法で凹所８０が形成されている。
【００５７】
なお、本実施形態では、凹所８０の底の外周縁部は、凹所８０の開口方向に対して略直交するようになっているが、スプリングピン６０の軸方向両端の外周角部において全周に亘って形成された角取りに対応した傾斜面を有していても良い。
【００５８】
また、本実施形態の凹所８０は挿入軸６８と同一中心軸線上に位置せしめられている。これにより、後述の如く、凹所８０にスプリングピン６０（使用済みスプリングピン８４）が嵌め込まれることによって、板状片６６の板厚方向両側に位置せしめられる二本のスプリングピン６０（８６），６０（８４）が同一中心軸上に位置せしめられることとなる。
【００５９】
更にまた、本実施形態では、板状片６６の長手方向両端の下側角部に対して板状片６６の幅方向全長に亘って角取りが施されている。これにより、後述する板状片６６の上側収容部４０内における上側開口から底壁への移動を有利に行うことが可能となる。
【００６０】
このような構造とされた組付ピン６４は、図１７に示されているように、スプリングピン６０の軸方向一方の端から挿入軸６８が挿し込まれて固定されることにより、スプリングピン６０に対して組み付けられている。そこにおいて、本実施形態では、このようにして、スプリングピン６０に組付ピン６４が組み付けられた状態で、スプリングピン６０の軸方向上方（組付ピン６４が組み付けられた側）から見ると、組付ピン６４における板状片６６によって、スプリングピン６０が覆い隠されて、図１５に示されているように、板状片６６だけが見えるようになっている。
【００６１】
そして、上述の如く、組付ピン６４が組み付けられたスプリングピン６０は、図１８に示されているように、組付ピン６４が取り付けられていない軸方向他端側から蓋側筒部３８に挿入されるようになっている。これにより、スプリングピン６０における下側収容部４２に嵌め入れられている部分に対して、スプリングピン６０を締める力が作用することとなる。その結果、スプリングピン６０が元の形状に戻ろうとする力（復元力）が下側収容部４２に作用することとなる。なお、図１８や後述する図１９，２１，２３，２６，２８，３１，３３において、スプリングピン６０と組付ピン６４，９２，１０８は、基本的には、側面図で示してある。
【００６２】
また、このようにしてスプリングピン６０による復元力が下側収容部４２に作用することにより、スプリングピン６０の外周面が下側収容部４２の内周面に押し当てられることとなる。その結果、スプリングピン６０の外周面と下側収容部４２の内周面との間にスプリングピン６０の変位を阻止する方向に摩擦力が発生することとなる。
【００６３】
そして、上述の如く、スプリングピン６０が下側収容部４２に挿入された状態からスプリングピン６０を摩擦力に抗して更に挿入することにより、図１９に示されているように、スプリングピン６０が蓋側筒部３８と本体側筒部２８とに跨って挿入された状態となる。
【００６４】
そこにおいて、本実施形態では、上述の如く、スプリングピン６０が蓋側筒部３８と本体側筒部２８とに跨って挿入された状態では、スプリングピン６０における下側収容部４２に嵌め入れられている部分だけに対して、スプリングピン６０を締める力が作用するようになっている。即ち、本実施形態では、スプリングピン６０の軸方向変位を阻止する摩擦力が、スプリングピン６０における下側収容部４２に嵌め入れられている部分のみに及ぼされるようになっているのであり、その結果、本実施形態では、スプリングピン６０は蓋側筒部３８（下側収容部４２）のみに対して嵌められているのである。このことから明らかなように、本実施形態では、蓋側筒部３８の内部空間３９のうち下側収容部４２内の部分によってピン圧入部が構成されており、本体側筒部２８の内部空間２７の全体によってピン遊挿部が構成されている。
【００６５】
また、上述の如く、スプリングピン６０が蓋側筒部３８と本体側筒部２８とに跨って挿入されていると共に、スプリングピン６０が蓋側筒部３８に嵌められて固定された状態で、スプリングピン６０の軸方向一方の端部は蓋側筒部３８内に位置せしめられていると共に、スプリングピン６０の軸方向他方の端部は本体側筒部２８内に位置せしめられている。これにより、収容空間４９から制御基板１６を取り出すことが出来る状態となるまで、ケース本体１２に対して蓋部材１４がスライド変位することがスプリングピン６０によって阻止されるようになっている。その結果、遊技機用基板ケース１０の封止状態が実現されるようになっている。
【００６６】
なお、図面上では明示されていないが、本実施形態では、四つで一つのグループとされた本体側筒部２８と蓋側筒部３８の組み合わせのうち、何れか一つの組み合わせにおいて、図１９に示されているように、スプリングピン６０が本体側筒部２８と蓋側筒部３８とに跨って挿入されており、その他の組み合わせにおいては、図１８に示されているように、組付ピン６４が組み付けられたスプリングピン６０が蓋側筒部３８のみに嵌められた状態とされている。即ち、本実施形態では、本体側筒部２８と蓋側筒部３８を含んでロック構造が構成されており、かかるロック構造を八つ備えており、これら八つのロック構造のうちの二つが同時に使用されているのである。
【００６７】
更にまた、本実施形態では、図１８に示されている状態から更にスプリングピン６０を嵌め入れる際において、スプリングピン６０に固定された組付ピン６４における板状片６６の長手方向両端が、上側収容部４０における長手方向（図７や図１８における左右方向）で対向位置せしめられる一対の対向壁部７０，７０に対して摺動せしめられるようになっている。
【００６８】
そこにおいて、本実施形態では、一対の対向壁部７０，７０の対向面間距離が、上側収容部４０の上側開口から底壁へと行くに従って次第に短くなるようにされている。これにより、スプリングピン６０に固定された組付ピン６４における板状片６６の長手方向両端は、上側収容部４０の底壁側に行くに従って次第に上側収容部４０の上側開口側への反りが大きくなるようになっている。
【００６９】
そして、板状片６６が上側収容部４０の底壁に到達すると、板状片６６の長手方向両端部のそれぞれが、上側収容部４０の上側開口側に反った状態から元の状態に戻ると共に、各対向壁部７０の底壁付近に形成された開口穴７２に入り込むようになっている。その結果、板状片６６の長手方向両端部のそれぞれが、各対向壁部７０に形成された開口穴７２の内周面７４（特に、スプリングピン６０の挿入方向とは反対側に位置する上側開口側の面）に係止されることにより、組付ピン６４の上側収容部４０の上側開口側への変位、延いては、スプリングピン６０の軸方向上方への変位（抜け方向への変位）が阻止されることとなる。このことから明らかなように、本実施形態では、板状片６６の長手方向両端部分によって弾性係合片が構成されており、各対向壁部７０によって係合壁が構成されており、板状片６６の長手方向両端部分と各対向壁部７０によって逆止構造が構成されている。
【００７０】
なお、本実施形態では、図１８に示された状態、即ち、スプリングピン６０が蓋側筒部３８に嵌め入れられて、板状片６６の上面が蓋側筒部３８の上端面と同じ高さに位置せしめられた状態で、図２０に示されているように、板状片６６における幅方向両端と上側収容部４０との間に隙間が形成されている。
【００７１】
特に、本実施形態では、図面上では必ずしも明らかではないが、板状片６６の上面が蓋側筒部３８（上側収容部４０）の上端面と同じ高さに位置せしめられた状態から板状片６６の長手方向両端のそれぞれが開口穴７２，７２に入り込むまでの間において、板状片６６における幅方向両端と上側収容部４０との間には、それぞれ、隙間が形成されるようになっている。これにより、スプリングピン６０が蓋側筒部３８と本体側筒部２８とに跨って挿入された状態に至るまでの間において、板状片６６の長手方向両端のみが上側収容部４０の上側開口側に反るようになっている。その結果、スプリングピン６０が蓋側筒部３８に嵌め入れられた状態からスプリングピン６０が蓋側筒部３８と本体側筒部２８とに跨って挿入された状態に至るまでの抵抗を小さくすることが可能となる。
【００７２】
また、図２０に示されているように、板状片６６を上から見ると、スプリングピン６０が見えないようになっている。即ち、板状片６６は、スプリングピン６０の軸直角方向に突出するように配設されているのである。
【００７３】
このような構造とされた遊技機用基板ケース１０は、ケース本体１２と蓋部材１４のスライド変位を阻止する機能を発揮しているスプリングピン６０、即ち、蓋側筒部３８と本体側筒部２８とに跨って挿入されているスプリングピン６０が嵌められている蓋側筒部３８と蓋部材１４とを連結している一対の取付片４４，４４をニッパー等の適当な道具を使用して切断することにより、スプリングピン６０が嵌められた蓋側筒部３８を蓋部材１４から分離することが可能となる。これにより、スプリングピン６０による遊技機用基板ケース１０の封止状態が解除されて、ケース本体１２に対して蓋部材１４がスライド変位可能となる。
【００７４】
そこにおいて、開封された遊技機用基板ケース１０を再び封止状態とする場合、遊技機用基板ケース１０を開封するために蓋部材１４から分離した蓋側筒部３８（以下、使用済み蓋側筒部８２と称する）を利用すると便利である。以下、使用済みのスプリングピン６０（以下、使用済みスプリングピン８４と称する）が嵌められている使用済み蓋側筒部８２を利用した遊技機用基板ケース１０の封止作業について説明する。
【００７５】
先ず、図２１や図２２に示されているように、使用済み蓋側筒部８２に嵌められている使用済みスプリングピン８４の先端を、次に使用するスプリングピン６０（以下、次回使用スプリングピン８６と称する）に組み付けられた組付ピン６４（以下、次回使用組付ピン９０と称する）の凹所８０に嵌め入れることにより、使用済みスプリングピン８４を凹所８０に係合させる。その後、使用済み蓋側筒部８２の上端面に対して、次回使用スプリングピン８６の挿入方向に押圧操作力を加える。その際、使用済みスプリングピン８４の軸方向一端に組み付けられている組付ピン６４（以下、使用済み組付ピン８８と称する）は、使用済み蓋側筒部８２に形成された開口穴７２に嵌め入れられており、その内周面７４に対して、次回使用スプリングピン８６の挿入方向とは反対方向に係止されるようになっていることから、使用済み蓋側筒部８２の上端面に対して次回使用スプリングピン８６の挿入方向に押圧操作力を加えた際において、かかる押圧操作力の次回使用スプリングピン８６への伝達を有利に実現することが可能となる。
【００７６】
そして、上述の如く、押圧操作力が使用済み蓋側筒部８２の上端面に及ぼされることにより、図２３に示されているように、次回使用スプリングピン８６が、本体側筒部２８と蓋側筒部３８とに跨って挿入されると共に、蓋側筒部３８に嵌められることとなる。その結果、次回使用スプリングピン８６による遊技機用基板ケース１０の封止状態が実現されることとなる。
【００７７】
なお、本実施形態では、図２３に示されているように、次回使用スプリングピン８６が本体側筒部２８と蓋側筒部３８とに跨って挿入された状態で、使用済みスプリングピン８４が組み付けられて一体的に取り扱い可能とされた使用済み蓋側筒部８２の下側収容部４２が、次回使用スプリングピン８６が嵌め込まれた蓋側筒部３８の上側収容部４０内に位置せしめられるようになっている。
【００７８】
上述の説明から明らかなように、本実施形態では、組付ピン６４が組み付けられたスプリングピン６０によってロックピンが構成されており、凹所８０によって係合部が構成されている。
【００７９】
このような構造とされた遊技機用基板ケース１０においては、使用済みスプリングピン８４の先端を、次回使用スプリングピン８６の軸方向一端に組み付けられている次回使用組付ピン９０の凹所８０に嵌め込み、使用済み蓋側筒部８２の上端面に対して、次回使用スプリングピン８６の挿入方向に押圧操作力を及ぼすことにより、次回使用スプリングピン８６を本体側筒部２８と蓋側筒部３８の両方に跨って挿入することが可能となる。
【００８０】
従って、上述の如き遊技機用基板ケース１０においては、使用済みスプリングピン８４及びかかる使用済みスプリングピン８４と一体的に取り扱い可能とされた使用済み蓋側筒部８２を巧く利用することにより、遊技機用基板ケース１０の封止作業をするための適当な道具を持ち合わせていなくても、遊技機用基板ケース１０の封止作業を有利に行うことが可能となる。
【００８１】
特に本実施形態では、挿入軸６８と凹所８０が同一中心軸線上に位置せしめられていることから、次回使用組付ピン９０が軸方向一端に組み付けられた次回使用スプリングピン８６と次回使用組付ピン９０の凹所８０に嵌め込まれる使用済みスプリングピン８４とが同一中心軸線上に位置せしめられることとなる。これにより、使用済み蓋側筒部８２の上端面に及ぼされる押圧操作力の次回使用スプリングピン８６への伝達を効率良く行うことが可能となる。その結果、次回使用スプリングピン８６の挿入を効率良く行うことが可能となる。
【００８２】
続いて、本発明の第二の実施形態について説明する。なお、この第二の実施形態や後述する第三の実施形態において、前記第一の実施形態と同様な構造とされた部材及び部位については、図中に、第一の実施形態と同一の符号を付すことにより、それらの詳細な説明を省略する。
【００８３】
第二の実施形態では、第一の実施形態に比して、組付ピン９２が異なっている。具体的には、本実施形態の組付ピン９２は、第一の実施形態の組付ピン（６４）に比して、板状片６６において挿入軸６８が突設された面とは反対側の面に凹所（８０）が設けられておらず、その代わりに、図２４や図２５に示されているように、板状片６６において挿入軸６８が突設された面とは反対側の面に対して、内周面９４がスプリングピン６０の内周面９８（図２７参照）に対応すると共に、外周面９６がスプリングピン６０の外周面７８に対応する凹部としての環状溝１００が形成されている。特に本実施形態では、かかる環状溝１００が形成されることにより、環状溝１００の内周面９４を外周面とする凸部としての突起１０４も形成されている。
【００８４】
そして、図２６や図２７に示されているように、次回使用スプリングピン８６の軸方向一端に組み付けられた組付ピン９２（以下、次回使用組付ピン１０６と称する）の環状溝１００に対して使用済みスプリングピン８４を挿し込んで環状溝１００に使用済みスプリングピン８４を係合せしめ、使用済み蓋側筒部８２の上端面に対して次回使用スプリングピン８６の挿入方向に押圧操作力を加えることにより、図２８に示されているように、次回使用スプリングピン８６が本体側筒部２８と蓋側筒部３８とに跨って挿入されることとなる。
【００８５】
上述の説明から明らかなように、本実施形態では、環状溝１００によって係合部が構成されている。
【００８６】
従って、本実施形態においても、第一の実施形態と同様な効果を得ることが可能となる。
【００８７】
次に、本発明の第三の実施形態について説明する。本実施形態では、第一の実施形態に比して、組付ピン１０８が異なっている。より詳細には、本実施形態の組付ピン１０８は、第一の実施形態の組付ピン（６４）に比して、板状片６６において挿入軸６８が突設された面とは反対側の面に凹所（８０）が設けられておらず、その代わりに、図２９や図３０に示されているように、板状片６６において挿入軸６８が突設された面とは反対側の面に対して、外周面１１０が使用済みスプリングピン８４の内周面９８に対応する凸部としての突起１１２が突設されている。
【００８８】
そして、図３１や図３２に示されているように、次回使用スプリングピン８６の軸方向一端に組み付けられた組付ピン１０８（以下、次回使用組付ピン１１４と称する）の突起１１２に対して使用済みスプリングピン８４を挿し込んで突起１１２と使用済みスプリングピン８４を係合せしめ、使用済み蓋側筒部８２の上端面に対して次回使用スプリングピン８６の挿入方向に押圧操作力を加えることにより、図３３に示されているように、次回使用スプリングピン８６が本体側筒部２８と蓋側筒部３８とに跨って挿入されることとなる。
【００８９】
上述の説明から明らかなように、本実施形態では、突起１１２によって係合部が構成されている。
【００９０】
従って、本実施形態においても、第一の実施形態と同様な効果を得ることが可能となる。
【００９１】
以上、本発明の幾つかの実施形態について詳述してきたが、これらはあくまでも例示であって、本発明は、かかる実施形態における具体的な記載によって、何等、限定的に解釈されるものではない。
【００９２】
例えば、図３４や図３５に示されているように、係止片１１６，１１８が軸部分１２０，１２２と一体形成されて、単一の部材で構成されたピン部材１２４，１２６をロックピンとして採用することも、勿論可能である。そこにおいて、図３４に示されているピン部材１２４には、係合部としての凹所１２８が形成されており、それによって、ピン部材１２４の先端部分が凹所１２８に嵌め入れることが可能とされている。一方、図３５に示されているピン部材１２６には、係合部としての突起１３０が形成されていると共に、その軸部分１２２の先端に対して凹部１３２が開口形成されており、それによって、ピン部材１２６の先端に形成された凹部１３２に対して突起１３０を嵌め入れることが可能とされている。
【００９３】
また、前記第一乃至第三の実施形態におけるスプリングピン６０の軸方向端部外側の角部に対する角取りは、必ずしも必要なものではない。
【００９４】
また、スプリングピンにおける周方向で分断されている部分は、前記第一乃至第三の実施形態のように、蛇行している必要はなく、真っ直ぐ延びていても良い。更に、スプリングピンは、板材を一周以上に巻いた構造であっても良い。
【００９５】
更にまた、周方向で分断された筒状のスプリングピンに対して、スプリングピンの形成材料よりも硬度が低い材料で形成された挿入部材を挿入固定しても良い。これにより、スプリングピンにおいて周方向で分断されている部分の離隔距離を有利に確保することが可能となり、その結果、スプリングピンの軸直角方向へのばね作用を有利に得ることが可能となる。なお、挿入部材の形成材料としては、例えば、硬質ゴムやシリコーン，セラミックス，ウレタン等が採用される。
【００９６】
さらに、制御基板１６は、蓋部材１４に対してネジ止めされる必要はなく、制御基板１６の適当な位置に形成された穴に対して蓋部材１４に設けられた突起を挿し込むことにより、蓋部材１４に対して位置決めされているだけであっても良い。
【００９７】
なお、前記第一乃至第三の実施形態において、下側収容部４２の内径寸法が軸方向上端から軸方向下端に行くに従って次第に小さくされていても良い。これにより、スプリングピン６０の挿入作業を有利に実現することが可能となる。
【００９８】
また、板状片６６の板面に直交する方向から見た形状は、円形や楕円形，多角形等が何れも採用され得る。
【００９９】
さらに、前記第二の実施形態において、突起１０４の突出端面は、板状片６６の上面よりも高い位置にあっても良いし、低い位置にあっても良い。また、前記第三の実施形態において、突起１１２は、厚肉円環形状であっても良い。
【０１００】
また、凹部や凸部によって係合部が構成される場合、凹部や凸部は、その内周面または外周面の一部がピン部材の外周面または内周面に当接してピン部材を案内するような形状であれば良い。
【０１０１】
また、前記第一乃至第三の実施形態において、ロックピン側に係合壁を設ける一方、第二筒部側に弾性係合片を設けるようにしても良い。具体的には、例えば、各対向壁部７０の離隔距離を大きくすると共に、各対向壁部７０に開口穴７２を形成する代わりに対向位置せしめられた対向壁部７０側に向かって突出する突出片を設けることによって有利に実現される。そして、この場合には、板状片６６の両端部分によって係合壁が構成され、各対向壁部７０に設けられた突出片によって弾性係合片が構成されることとなる。
【０１０２】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【０１０３】
【図１】本発明の第一の実施形態としての遊技機用基板ケースの平面図。
【図２】同遊技機用基板ケースを構成するケース本体の平面図。
【図３】図２におけるＩＩＩ−ＩＩＩ方向の断面図。
【図４】図２におけるＩＶ−ＩＶ方向の断面図。
【図５】図１の遊技機用基板ケースを構成する蓋部材の平面図。
【図６】図５におけるＶＩ−ＶＩ方向の断面図。
【図７】図５におけるＶＩＩ−ＶＩＩ方向の断面図。
【図８】ケース本体に対して蓋部材をスライドさせる前の状態を説明するための断面図。
【図９】ケース本体に対して蓋部材をスライドさせた状態を説明するための断面図。
【図１０】図１におけるＸ−Ｘ方向に相当する断面図であって、本体側筒部と蓋側筒部の位置関係を説明するための要部拡大断面図。
【図１１】図１の遊技機用基板ケースに採用されているスプリングピンの平面図。
【図１２】同スプリングピンの上面図。
【図１３】同スプリングピンに固定される組付ピンの正面図。
【図１４】同組付ピンの右側面図。
【図１５】同組付ピンの上面図。
【図１６】図１３におけるＸＶＩ−ＸＶＩ断面図。
【図１７】本実施形態のロックピンを示す正面図。
【図１８】図１７のロックピンが下側収容部に挿し込まれた状態を示す断面図。
【図１９】図１７のロックピンが下側収容部と本体側筒部に挿し込まれた状態を示す断面図。
【図２０】図１８に示されたロックピンの下側収容部への挿し込み状態を上方から見た図面。
【図２１】第一の実施形態での使用済みロックピンを利用した遊技機用基板ケースの封止作業を説明するための断面図。
【図２２】図２１の要部を示す断面図。
【図２３】同封止作業によって次回使用ロックピンが本体側筒部と蓋側筒部に跨って挿入された状態を説明するための断面図。
【図２４】本発明の第二の実施形態で採用される組付ピンの上面図。
【図２５】図２４におけるＸＸＶ−ＸＸＶ断面図。
【図２６】第二の実施形態での使用済みロックピンを利用した遊技機用基板ケースの封止作業を説明するための断面図。
【図２７】図２６の要部を示す断面図。
【図２８】同封止作業によって次回使用ロックピンが本体側筒部と蓋側筒部に跨って挿入された状態を説明するための断面図。
【図２９】本発明の第三の実施形態で採用される組付ピンの上面図。
【図３０】図２９におけるＸＸＸ−ＸＸＸ断面図。
【図３１】第三の実施形態での使用済みロックピンを利用した遊技機用基板ケースの封止作業を説明するための断面図。
【図３２】図３１の要部を示す断面図。
【図３３】同封止作業によって次回使用ロックピンが本体側筒部と蓋側筒部に跨って挿入された状態を説明するための断面図。
【図３４】本発明において採用可能なロックピンの他の態様を説明するための縦断面図。
【図３５】本発明において採用可能なロックピンの更に別の態様を説明するための縦断面図。
【符号の説明】
【０１０４】
１０：遊技機用基板ケース，１２：ケース本体，１４：蓋部材，１６：制御基板，２７：内部空間，２８：本体側筒部，３８：蓋側筒部，３９：内部空間，４４：取付片，４９：収容空間，６０：スプリングピン，６４：組付ピン，６６：板状片，７０：対向壁部，８０：凹所
【図１】
2008029395.tif 000003
【図２】
2008029395.tif 000004
【図３】
2008029395.tif 000005
【図４】
2008029395.tif 000006
【図５】
2008029395.tif 000007
【図６】
2008029395.tif 000008
【図７】
2008029395.tif 000009
【図８】
2008029395.tif 000010
【図９】
2008029395.tif 000011
【図１０】
2008029395.tif 000012
【図１１】
2008029395.tif 000013
【図１２】
2008029395.tif 000014
【図１３】
2008029395.tif 000015
【図１４】
2008029395.tif 000016
【図１５】
2008029395.tif 000017
【図１６】
2008029395.tif 000018
【図１７】
2008029395.tif 000019
【図１８】
2008029395.tif 000020
【図１９】
2008029395.tif 000021
【図２０】
2008029395.tif 000022
【図２１】
2008029395.tif 000023
【図２２】
2008029395.tif 000024
【図２３】
2008029395.tif 000025
【図２４】
2008029395.tif 000026
【図２５】
2008029395.tif 000027
【図２６】
2008029395.tif 000028
【図２７】
2008029395.tif 000029
【図２８】
2008029395.tif 000030
【図２９】
2008029395.tif 000031
【図３０】
2008029395.tif 000032
【図３１】
2008029395.tif 000033
【図３２】
2008029395.tif 000034
【図３３】
2008029395.tif 000035
【図３４】
2008029395.tif 000036
【図３５】
2008029395.tif 000037